(57)【要約】【課題】  日常生活用具の角度を身体状況に応じて調節することができ、日常生活用具を把持しやすい日常生活用具のグリップ構造を提供すること。【解決手段】  スプーン、歯ブラシ等の日常生活用具は、一端と他端のそれぞれに機能部１０２とグリップ部１が設けられた柄部分１０１を有し、グリップ部１は、柄部分１０１の長手方向軸線に対する、グリップ部１の中心を通るグリップ軸線の角度を調整可能なジョイント構造によって、柄部分１０１に取付けられている。【選択図】          図４
0003116468.tif 000002
【実用新案登録請求の範囲】
【請求項１】
スプーン、歯ブラシ等の日常生活用具のグリップ構造において、前記日常生活用具は、一端と他端のそれぞれに機能部とグリップ部が設けられた柄部分を有し、前記グリップ部は、前記柄部分の長手方向軸線に対する、前記グリップ部の中心を通るグリップ軸線の角度を調整可能なジョイント構造で、前記柄部分に取付けられていることを特徴とする日常生活用具のグリップ構造。
【請求項２】
前記ジョイント構造は、球体と、弾性部材に設けられて前記球体と嵌合する凹部とを有することを特徴とする請求項１に記載の日常生活用具のグリップ構造。
【請求項３】
前記弾性部材において、前記凹部を形成した部分の上端寄り外周囲に係合部を形成し、該係合部に、その外径より内径が小さい止めリングをスナップ係合させるようにしたことを特徴とする請求項２に記載された日常生活用具のグリップ構造。
【請求項４】
前記グリップ部の把持部分がシリコン樹脂より成ることを特徴とする請求項１〜３のいずれかに記載された日常生活用具のグリップ構造。
【考案の詳細な説明】
【技術分野】
【０００１】
本考案は、スプーン、ヘアブラシ、歯ブラシ等の日常生活用具のグリップ構造に関する。
【背景技術】
【０００２】
スプーン、ヘアブラシ、櫛、歯ブラシのような手で握って使用する日常生活用具は、長い柄の先端に機能部を設けてあるのが一般的である。
しかし、このような通常の日常生活用具では、手首や指を自由に動かすことができず、握力が弱っている老人や身体障害者にとって、柄を握って確実に保持したり、角度を微妙に変えながら操作するのが非常に難しかった。
【０００３】
そこで、洋食器を握持・操作しやすくするために、握柄の中間部又は先端寄りに、下方に向かって突出する指掛部を設け、指掛部にグリップ部材を着脱自在に圧入装着した洋食器の握柄が提案されている(特許文献１参照)。
また、グリップの横に穴又は切り込みを形成し、この穴又は切り込みに食事器具や口腔衛生器具の柄を差し込んで、グリップと柄を直角に近い方向に保持した食事器具や口腔衛生器具を保持するグリップが公知である(特許文献２参照)。
しかし、これらのものは、グリップに対して柄の角度を変えることができないので、障害の種類や程度に対応し難い。
【０００４】
さらに、柄の裏面に複数の凹型の切欠き部を形成し、これら切欠き部と一体の挿通空間を形成し、握持用グリップの一端部を、挿通空間へ遊挿できる球状の頭部とし、握持用グリップの頭部を挿通空間へ遊挿して、任意の切欠き部に係止可能とした食器、歯ブラシ、及び、筆記具も公知である(特許文献３参照)。
この器具は、機能部が握持用グリップに対して自由に動けるものの、頭部の下部と切欠き部の上面が接しているだけなのでがたつきやすく、握力の弱い使用者が握ると、機能部がぐらついて十分な機能を発揮することが難しく、スプーン等では内容物がこぼれる虞もある。
【０００５】
【特許文献１】実開平６−９５７０号公報
【特許文献２】特開２００２−８５４８６号公報
【特許文献３】特開２００４−４９８３９号公報
【考案の開示】
【考案が解決しようとする課題】
【０００６】
本考案が解決しようとする課題は、日常生活用具の角度を身体状況に応じて調節することができると共に、把持しやすい日常生活用具のグリップ構造を提供することにある。
【課題を解決するための手段】
【０００７】
本考案は、スプーン、フォーク、歯ブラシ等の日常生活用具のグリップ構造に関し、前記日常生活用具は、一端と他端のそれぞれに機能部とグリップ部が設けられた柄部分を有し、前記グリップ部は、前記柄部分の長手方向軸線に対する、前記グリップ部の中心を通るグリップ軸線の角度を、調整可能なジョイント構造で、前記柄部分に取付けられている。
前記ジョイント構造は、球体と、弾性部材に設けられて前記球体と嵌合する凹部とを有することもある。
この場合、前記弾性部材において、前記凹部を形成した部分の上端寄り外周囲に係合部を形成し、該係合部に、その外径より内径が小さい止めリングをスナップ係合させるようにしても良い。
前記グリップ部の把持部分はシリコン樹脂を素材とすることもある。
【考案の効果】
【０００８】
請求項１に係る考案によれば、日常生活用具の柄部分に対するグリップ部の角度を、使用者の握力、障害の種類や程度等の身体状況に応じて調節することができるので、日常生活用具の把持及び操作が容易となる。
請求項２に係る考案によれば、球体を凹部内で回転させることにより、柄部分とグリップ軸線とを非常に広い範囲で調整することが可能である。
請求項３に係る考案によれば、止めリングを係合部に係合すると、凹部の変形が規制されるので、強制的に手で操作することなく球体が凹部から抜け出したり、球体が回転するのを防ぐことができ、このため、使用中にグリップ部と柄部分とが分離したり、がたつくことがない。
請求項４に係る考案によれば、シリコン樹脂の吸着性によって、握力の弱い使用者でも確実に把持することができる。
【考案を実施するための最良の形態】
【０００９】
以下、本考案の実施例を図面に基づいて詳細に説明する。
図１〜図６は、日常生活用具がスプーンである実施例１を示す。
スプーンは、スプーン本体１００と、スプーン本体１００に装着されるグリップ部１とを備える。
図１及び図２に示すように、スプーン本体１００は、柄部分１０１の一端に機能部である皿状部１０２を一体に形成し、柄部分１０１の他端部に取付軸２を設けて成る。
【００１０】
皿状部１０２の一側外周にはガイドフランジ１０３が形成される。このガイドフランジ１０３は、手で持った時に手前に位置するよう、右手用と左手用とでは逆側に形成されている。
また、図４に示すように、柄部分１０１の他端部には透孔１０４が穿設されている。透孔１０４は、柄部分１０１の長手方向と長軸が一致した長孔のような非円形とする。
なお、柄部分１０１と皿状部１０２との境界部分を変形可能な細い首部とし、この首部を曲げて皿状部１０２の角度を調節できるようにすることも可能である。
【００１１】
取付軸２は、ナイロン樹脂等の硬質樹脂を素材とし、長さ約７ｍｍ、直径約７ｍｍの円柱状の軸部５を有する。軸部５の下端には直径１３ｍｍ程度の球体６が一体に形成される。
軸部５の上端部には、スプーン本体１００の柄部分１０１の透孔１０４よりも径大の下部挟持片７が、軸部５から張り出すよう一体に設けられ、下部挟持片７の上面には、透孔１０４の平面形状とほぼ同じ形状の断面を有し、透孔１０４へ抜挿可能な挿入部８が一体に設けられる。
また、挿入部８には、下部挟持片７と同形の上部挟持片９が、上方から着脱可能に嵌合される。
【００１２】
グリップ部１は、把持部分であるグリップ本体３と、止めリング４とを備える。
グリップ本体３は弾性素材より成る。弾性素材としては、各種の合成樹脂が考えられるが、特に、吸着性のあるシリコン樹脂が望ましい。
グリップ本体３は、上端面の直径が約２０ｍｍ、下端面の直径が約２５ｍｍ、中間部の最大直径が約３０ｍｍ、長さが約４５ｍｍの円柱状に形成される。
グリップ本体３の上端面には、取付軸２の球体６が回動自在、且つ、着脱可能に圧入係合される球状の凹部１０が形成される。
また、グリップ本体３の上端寄りの外周囲には、凹部１０の上部を取り巻くように溝状の係合部１１が形成される。
さらに、グリップ本体３の下端縁の一部には、滑り止め用の突部１２が形成されている。
【００１３】
止めリング４は、ナイロン樹脂等の硬質素材よりなり、その内径がグリップ本体３の上端の外径及び係合部１１の底部外径よりもやや小さい１８ｍｍ程度とされている。
従って、止めリング４をグリップ本体３の上端外周に合致させて下方へ押し下げると、弾性変形によって止めリング４が係合部１１にスナップ係合され、凹部１０の上部を押し縮める。
また、止めリング４を押し上げると、係合部１１から脱出させてグリップ本体３の上方へ抜き取ることができる。
なお、意匠上の観点から、止めリング４は、グリップ本体３の色と調和した鮮やかな色に着色するのが望ましい。
【００１４】
このスプーン（日常生活用具）は、次のようにして組み立てる。
図３に示すように、取付軸２の挿入部８をスプーン本体１００の透孔１０４に下方から挿通し、挿入部８に上部挟持片９を上方から嵌合して、上部挟持片９と下部挟持片７とで柄部分１０１を挟持することにより、取付軸２をスプーン本体１００の柄部分１０１の他端部に装着する。
さらに、止めリング４に取付軸２の球体６及び軸部５を差し込む。
次いで、取付軸２の球体６をグリップ本体３の凹部１０に圧入係合し、球体６と凹部１０とで構成されるジョイント構造によって、グリップ部１をスプーン本体１００の柄部分１０１に取り付ける。グリップ本体３の素材をシリコン樹脂とした場合には、シリコン樹脂の吸着性によって球体６を凹部１０内に安定して保持できる。
【００１５】
この状態では、球体６が凹部１０内で比較的自由に回転できるので、図５に示すように、取付軸２の軸部５をグリップ本体３の中心軸に対して左右に傾斜させたり、図示しないが、軸部５をグリップ本体３の中心軸に対して前後に傾斜させたり、或いは、図６に示すように、取付軸２をその中心軸周りに回転させて、柄部分１０１の長手方向軸線に対する、グリップ部１の中心を通るグリップ軸線の角度を、使用者の身体状況に応じて調整する。
最後に、止めリング４を押し下げて係合部１１にスナップ係合し、球体６の回転及び凹部１０からの脱出を規制し、スプーン本体１００をグリップ本体３に対して固定する。
また、止めリング４をグリップ本体３の上方へ押し上げれば、スプーン本体１００の角度を再調節することも、取付軸２とグリップ本体３とを分離することもできる。
なお、止めリング４をスナップ係合した状態でも、強い力を加えればスプーンの角度を調節することは可能である。
【００１６】
図７は、日常生活用具がヘアブラシである実施例２を示し、グリップ部１をヘアブラシ本体２００に装着してある。
図８は、日常生活用具が櫛である実施例３を示し、グリップ部１を櫛本体３００に装着してある。
また、図９は、日常生活用具が歯ブラシである実施例４を示し、グリップ部１を歯ブラシ本体４００に装着してある。
実施例２乃至実施例４において、グリップ部１及び取付軸２の構造、道具とグリップ部１との取付け構造は、実施例１とほぼ同様なので、同一部分に同一符号を付して詳細な説明を省略する。
【００１７】
なお、グリップ部１及び取付軸２の各部の寸法は、身体の大きさ等に応じて適宜変更しても良い。
また、取付軸２の挿入部８の断面形状、及び、柄部分１０１の透孔１０４の平面形状は、回り止めとなる非円形であれば上記実施例の形状に限定されない。さらに、グリップ本体３の上端外周縁にフランジを形成し、このフランジを止めリング４にスナップ係合する係合部とすることもできる。
【図面の簡単な説明】
【００１８】
【図１】実施例１を示す日常生活用具の側面図。
【図２】実施例１を示す日常生活用具の平面図。
【図３】実施例１を示す日常生活用具の組み立て途中における側面図。
【図４】実施例１を示す日常生活用具の分解側面図。
【図５】スプーン本体の上下方向への角度調節を示す要部側面図。
【図６】スプーン本体の水平方向への角度調節を示す平面図。
【図７】実施例２を示す日常生活用具の斜視図。
【図８】実施例３を示す日常生活用具の斜視図。
【図９】実施例４を示す日常生活用具の斜視図。
【符号の説明】
【００１９】
１  グリップ部
２  取付軸
３  グリップ本体
４  止めリング
５  軸部
６  球体
７  下部挟持片
８  挿入部
９  上部挟持片
１０  凹部
１１  係合部
１２  突部
１００  スプーン本体
１０１  柄部分
１０２  皿状部(機能部)
１０３  ガイドフランジ
１０４  透孔
２００  ヘアブラシ本体
３００  櫛本体
４００  歯ブラシ本体
【図１】
0003116468.tif 000003
【図２】
0003116468.tif 000004
【図３】
0003116468.tif 000005
【図４】
0003116468.tif 000006
【図５】
0003116468.tif 000007
【図６】
0003116468.tif 000008
【図７】
0003116468.tif 000009
【図８】
0003116468.tif 000010
【図９】
0003116468.tif 000011